(57)【要約】【課題】ユーザーの利便性を向上することができる表示装置を提供する。【解決手段】表示装置１３は、判断部２７と、指定受け付け部２８と、表示制御部２９とを備える。判断部２７は、複数に分類された項目を所定の並び方向で並べてリストを表示画面１６の表示領域に表示する際に、並び方向において表示領域内に全ての項目が表示できるか否かを判断する。指定受け付け部２８は、判断部２７により全ての項目が表示できないと判断されれば、複数の項目のうち、表示領域に常に表示させる項目の指定を受け付ける。表示制御部２９は、複数に分類された項目を所定の並び方向で並べてリストを表示領域に表示する際に、指定受け付け部２８により指定を受け付けられた項目を常に表示しながら、指定されていない他の項目を並び方向にスクロールして、全ての項目を一旦表示するよう制御する。【選択図】図２
2018120480.tif 000002
【特許請求の範囲】
【請求項１】
複数に分類された項目から構成されるリストを表示可能な表示装置であって、
情報を表示する表示画面と、
前記リストの表示の要求を受け付ける第一の受け付け部と、
前記第一の受け付け部により前記リストの表示の要求を受け付ければ、複数に分類された前記項目を所定の並び方向で並べて前記リストを前記表示画面の表示領域に表示する際に、前記並び方向において前記表示領域内に全ての前記項目が表示できるか否かを判断する判断部と、
前記判断部により全ての前記項目が表示できないと判断されれば、複数の前記項目のうち、前記表示領域に常に表示させる前記項目の指定を受け付ける指定受け付け部と、
複数に分類された前記項目を前記所定の並び方向で並べて前記リストを前記表示領域に表示する際に、前記指定受け付け部により前記指定を受け付けられた前記項目を常に表示しながら、指定されていない他の前記項目を並び方向にスクロールして、全ての前記項目を一旦表示するよう制御する表示制御部とを備える、表示装置。
【請求項２】
前記表示制御部は、前記指定受け付け部により受け付けられた前記項目から最も遠い前記項目からスクロールして表示するよう制御する、請求項１に記載の表示装置。
【請求項３】
前記表示制御部は、前記指定受け付け部により受け付けられた前記項目から最も近い前記項目からスクロールして表示するよう制御する、請求項１に記載の表示装置。
【請求項４】
前記表示制御部は、全ての前記項目を一旦表示した後、前記指定受け付け部により受け付けられた前記項目に最も近い前記項目を表示するよう制御する、請求項１〜請求項３のいずれか１項に記載の表示装置。
【請求項５】
前記表示制御部は、複数の領域に亘って、指定されていない他の前記項目を並び方向にスクロールして、全ての前記項目を一旦表示するよう制御する、請求項１〜請求項４のいずれか１項に記載の表示装置。
【請求項６】
前記指定受け付け部は、前記並び方向に連続しない複数の前記項目を指定可能である、請求項１〜請求項５のいずれか１項に記載の表示装置。
【請求項７】
前記指定受け付け部は、前記判断部による判断の前に指定の受け付けが可能である、請求項１〜請求項６のいずれか１項に記載の表示装置。
【請求項８】
前記表示装置を操作するユーザーの認証を行うユーザー認証部をさらに備え、
前記指定受け付け部は、前記ユーザー認証部によって認証された前記ユーザーの操作履歴に基づいて前記項目の指定を受け付ける、請求項１〜請求項７のいずれか１項に記載の表示装置。
【請求項９】
前記表示制御部は、前記指定受け付け部により受け付けられた前記項目の色を、指定されていない他の前記項目の色とを異ならせて表示するよう制御する、請求項１〜請求項８のいずれか１項に記載の表示装置。
【請求項１０】
前記表示制御部は、前記指定受け付け部により受け付けられた前記項目を、可視可能な範囲で縮小して表示するよう制御する、請求項１〜請求項９のいずれか１項に記載の表示装置。
【請求項１１】
前記表示制御部は、指定されていない他の前記項目が並び方向に分かれて複数ある場合には、複数の指定されていない他の前記項目を同時にスクロールして表示するよう制御する、請求項１〜請求項１０のいずれか１項に記載の表示装置。
【請求項１２】
前記表示制御部は、指定されていない他の前記項目が並び方向に分かれて複数ある場合には、複数の指定されていない他の前記項目を順番にスクロールして表示するよう制御する、請求項１〜請求項１０のいずれか１項に記載の表示装置。
【請求項１３】
前記表示制御部は、指定されていない他の前記項目が並び方向に分かれて複数ある場合には、複数の指定されていない他の前記項目を上方から順番にスクロールして表示するよう制御する、請求項１２に記載の表示装置。
【請求項１４】
複数に分類された項目から構成されるリストの表示を制御する表示方法であって、
前記リストの表示の要求を受け付ける工程と、
前記受け付ける工程により前記リストの表示の要求を受け付ければ、複数に分類された前記項目を所定の並び方向で並べて前記リストを表示画面の表示利用域に表示する際に、前記並び方向において前記表示領域内に全ての前記項目が表示できるか否かを判断する工程と、
前記判断する工程により全ての前記項目が表示できないと判断されれば、複数の前記項目のうち、前記表示領域に常に表示させる前記項目の指定を受け付ける工程と、
複数に分類された前記項目を前記所定の並び方向で並べて前記リストを前記表示領域に表示する際に、前記指定を受け付ける工程において前記指定を受け付けられた前記項目を常に表示しながら、指定されていない他の前記項目を並び方向にスクロールして、全ての前記項目を一旦表示するよう制御する工程とを備える、表示方法。
【請求項１５】
コンピューターに、
複数に分類された項目から構成されるリストの表示の要求を受け付ける受け付け機能、
前記受け付け機能により前記リストの表示の要求を受け付ければ、複数に分類された前記項目を所定の並び方向で並べて前記リストを表示画面の表示利用域に表示する際に、前記並び方向において前記表示領域内に全ての前記項目が表示できるか否かを判断する判断機能、
前記判断機能により全ての前記項目が表示できないと判断されれば、複数の前記項目のうち、前記表示領域に常に表示させる前記項目の指定を受け付ける指定受け付け機能、および
複数に分類された前記項目を前記所定の並び方向で並べて前記リストを前記表示領域に表示する際に、前記指定を受け付ける工程において前記指定を受け付けられた前記項目を常に表示しながら、指定されていない他の前記項目を並び方向にスクロールして、全ての前記項目を一旦表示するよう制御する表示制御機能を実現させるためのプログラム。
【発明の詳細な説明】
【技術分野】
【０００１】
この発明は、表示装置、表示方法、およびプログラムに関するものである。
【背景技術】
【０００２】
情報の表示に関する技術が、特開平４−２３４７８９号公報（特許文献１）、および特開２０１５−９０６４９号公報（特許文献２）に開示されている。
【０００３】
特許文献１に開示のウィンドウシステムは、画面上に１つまたは複数のウィンドウを開いて各ウィンドウ内にテキスト、図形等を表示するようにしたウィンドウシステムにおいて、予め定めたウィンドウが開いたなら自動的にその表示内容をスクロールする手段を具備したことを特徴としている。
【０００４】
特許文献２に開示の情報端末装置は、表示部と、前記表示部の画面の表示を所定の第一方向にスクロールする画面スクロール部と、前記画面に表示された情報を取得する表示情報取得部と、前記画面に表示された前記情報にコンテンツが存在するか否か判別する表示コンテンツ検出部と、前記第一方向の一画面分に前記コンテンツの存在が確認できない場合に前記第一方向と交差する第二方向に対して前記コンテンツが存在するか否か判別する非表示コンテンツ検出部と、前記コンテンツの存在が確認できた場合に前記画面の表示のスクロールを停止させて前記画面の表示位置を決定する表示位置決定部と、を備えることを特徴としている。
【先行技術文献】
【特許文献】
【０００５】
【特許文献１】特開平４−２３４７８９号公報
【特許文献２】特開２０１５−９０６４９号公報
【発明の概要】
【発明が解決しようとする課題】
【０００６】
特許文献１および特許文献２によると、最初に表示された表示画面において、リストを構成する項目が全体としてどの程度の数があるのか、把握することが困難な場合がある。そうすると、項目を選択する際にユーザーが表示画面のスクロールを試みなければならず、ユーザーの操作が煩雑となってしまう。その結果、ユーザーの利便性を損ねてしまうことになる。
【０００７】
この発明の目的は、ユーザーの利便性を向上することができる表示装置、表示方法、およびプログラムを提供することである。
【課題を解決するための手段】
【０００８】
この発明の一の局面においては、表示装置は、複数に分類された項目から構成されるリストを表示可能である。表示装置は、表示画面と、第一の受け付け部と、判断部と、指定受け付け部と、表示制御部とを備える。表示画面は、情報を表示する。第一の受け付け部は、リストの表示の要求を受け付ける。判断部は、リストの表示の要求を受け付ければ、複数に分類された項目を所定の並び方向で並べてリストを表示画面の表示領域に表示する際に、並び方向において表示領域内に全ての項目が表示できるか否かを判断する。指定受け付け部は、判断部により全ての項目が表示できないと判断されれば、複数の項目のうち、表示領域に常に表示させる項目の指定を受け付ける。表示制御部は、複数に分類された項目を所定の並び方向で並べてリストを表示領域に表示する際に、指定受け付け部により指定を受け付けられた項目を常に表示しながら、指定されていない他の項目を並び方向にスクロールして、全ての項目を一旦表示するよう制御する。
【発明の効果】
【０００９】
このような表示装置によると、複数に分類された項目から構成されるリストを表示画面の表示領域に表示する際に、項目の並び方向に全ての項目が表示できないと判断されれば、指定された項目を常に表示領域に表示しながら、他の項目についてスクロールして表示することとし、全ての項目を一旦表示領域に表示するよう制御することとしている。そうすると、リストを構成する項目の全てをユーザーが容易に把握することができる。また、指定された項目については、常に視認することができる。したがって、ユーザーの利便性を向上することができる。
【００１０】
また、このような表示方法、およびプログラムによると、ユーザーの利便性を向上することができる。
【図面の簡単な説明】
【００１１】
【図１】この発明の一実施形態に係る表示装置の一例の携帯端末装置の外観を示す図である。
【図２】図１に示す携帯端末装置の構成を示すブロック図である。
【図３】複数に分類された項目から構成されるリストの一例を示す概念図である。
【図４】携帯端末装置を用いて項目を表示する場合の処理の流れを示すフローチャートである。
【図５】表示制御部により最初に表示される表示画面の一例を示す図である。
【図６】スクロールしている途中の表示画面の一例を示す図である。
【図７】最も遠い項目が表示された表示画面の一例を示す図である。
【発明を実施するための形態】
【００１２】
以下、この発明の実施の形態について説明する。図１は、この発明の一実施形態に係る表示装置の一例の携帯端末装置の外観を示す図である。図２は、図１に示す携帯端末装置の構成を示すブロック図である。
【００１３】
図１および図２を参照して、携帯端末装置１１は、携帯端末装置制御部１２と、表示装置１３と、テンキー１４と、機能選択キー１５とを備える。なお、携帯端末装置１１は、たとえば、外部の電子機器と通信可能に構成されている。
【００１４】
携帯端末装置制御部１２は、表示装置１３を含む携帯端末装置１１自身を制御する。ユーザーは、テンキー１４の押下により、０〜９までの数値やＡ〜Ｚまでのアルファベット等を入力することができる。また、ユーザーは、機能選択キー１５の所定の箇所を押下して、種々の操作を行うことができる。例えば、携帯端末装置１１における携帯電話機能を選択して、機能選択キー１５の押下により通話を開始したり、通話を終了させたりする。
【００１５】
次に、表示装置１３の構成について説明する。表示装置１３は、表示画面１６と、記憶部としての不揮発性メモリ１７とを含む。表示画面１６は、たとえば、ウィンドウといった表示領域１８を開けて、情報を表示する。図１中の破線で示す表示領域１８については、表示画面１６の面内の一部を囲った領域であり、矩形状である。不揮発性メモリ１７は、種々のデータを記憶する。具体的には、たとえば、不揮発性メモリ１７は、複数に分類された項目から構成されるリストの情報を記憶する。表示画面１６は、携帯端末装置１１における情報の表示に際して、ユーザーへの出力のインターフェースとなる。すなわち、表示画面１６において、携帯端末装置１１における種々の情報を表示すると共に、ユーザーによる入力内容等を表示する。表示画面１６は、タッチパネル型式であり、ユーザーから携帯端末装置１１に対する入力のインターフェースにもなる。すなわち、ユーザーは、表示画面１６に表示される内容を見て、指を使ってアイコンへのタップ等を行うことにより、携帯端末装置１１への実行の命令の入力等の操作を行う。
【００１６】
表示装置１３は、不揮発性メモリ１７に記憶され、複数に分類された項目から構成されるリストを表示可能な構成である。図３は、複数に分類された項目から構成されるリストの一例を示す概念図である。図３を参照して、不揮発性メモリ１７には、項目２１ａ、２１ｂ、２１ｃ、２１ｄ、２１ｅ、２１ｆ、２１ｇ、２１ｈ、２１ｉ、２１ｊ、２１ｋ、２１ｍ、２１ｎ、２１ｐから構成されるリスト２２が記憶されている。リスト２２には、２５個の項目２１ａ〜２１ｐが含まれている。項目２１ａは、左側から順に、番号（Ｎｏ．）、ファイル名、ユーザー名から構成されている。具体的には、項目２１ａは、番号「Ｎｏ．４」、ファイル名「ｄｏｃ２０１５０１０１」、ユーザー名「Ｘ」という内容で構成されている。他の項目２１ｂ〜２１ｐについても同様の構成である。リスト２２は、項目２１ａ〜２１ｐをいわゆるテーブル形式で記憶している。項目２１ａ〜２１ｐの並び方向は、図３中の矢印Ｄ１で示す向きまたはその逆の向きで示される。リスト２２においては、矢印Ｄ１で示す向きで番号の昇順に並んでいる。項目２１ａの内容については、項目２１ａ〜２１ｐの並び方向と直交する図３中の矢印Ｄ２で示す向きに並べて配置される。リスト２２は、表示画面１６に表示される際に、図３に示すレイアウトで表示される。なお、このリスト２２を構成する項目２１ａ〜２１ｐについては、携帯端末装置１１の操作により削除したり、追加することができる。
【００１７】
ここで、携帯端末装置制御部１２は、第一の受け付け部２６と、判断部２７と、指定受け付け部２８と、表示制御部２９とを備える。第一の受け付け部２６は、リスト２２の表示の要求を受け付ける。判断部２７は、第一の受け付け部２６によりリスト２２の表示の要求を受け付ければ、複数に分類された項目２１ａ〜２１ｐを所定の並び方向で並べてリスト２２を表示画面１６の表示領域１８に表示する際に、並び方向において表示領域１８内に全ての項目２１ａ〜２１ｐが表示できるか否かを判断する。指定受け付け部２８は、判断部２７により全ての項目２１ａ〜２１ｐが表示できないと判断されれば、複数の項目２１ａ〜２１ｐのうち、表示領域に常に表示させる項目２１ａ〜２１ｐの指定を受け付ける。表示制御部２９は、複数に分類された項目２１ａ〜２１ｐを所定の並び方向で並べてリスト２２を表示領域１８に表示する際に、指定受け付け部２８により指定を受け付けられた項目２１ａ〜２１ｐを常に表示しながら、指定されていない他の項目２１ａ〜２１ｐを並び方向にスクロールして、全ての項目２１ａ〜２１ｐを一旦表示するよう制御する。これらの構成については、後に詳述する。
【００１８】
次に、このような携帯端末装置１１を用いて項目２１ａ〜２１ｐを表示する流れについて説明する。図４は、携帯端末装置１１を用いて項目２１ａ〜２１ｐを表示する場合の処理の流れを示すフローチャートである。
【００１９】
さらに図４を参照して、第一の受け付け部２６は、複数の項目２１ａ〜２１ｐから構成されるリスト２２の表示の要求を受け付ける（図４において、ステップＳ１１においてＹＥＳ、以下、「ステップ」を省略する）。この場合、たとえば、表示画面１６において、ユーザーの指によるタップや、上記したリスト２２に関連して表示画面１６に表示されているアイコン（図示せず）へのタップ等を検知したかにより表示の要求を受け付けたか否かが判断される。
【００２０】
表示の要求を受け付ければ、判断部２７は、複数の項目２１ａ〜２１ｐを図３中の矢印Ｄ１で示す向きまたはその逆の向きで示される所定の並び方向で並べてリスト２２を表示する際に、表示画面１６の表示領域１８内に全ての項目２１ａ〜２１ｐが表示できるか否かを判断する（Ｓ１２）。判断部２７は、具体的には、図１に示す表示領域１８の並び方向の長さＬ２が、リスト２２の長さＬ１によりも長いか否かを判断する。この場合、長さＬ２の方が長さＬ１によりも短いため、判断部２７により表示領域１８内に全ての項目２１ａ〜２１ｐが表示できないと判断される（Ｓ１２において、ＮＯ）。なお、この表示領域１８については、前回のリスト２２の表示の際にウィンドウのサイズとして開けられた大きさを引き継いだものであり、その大きさは任意に変えられるものである。しかし、表示画面１６以上の大きさには拡大することはできないものである。
【００２１】
判断部２７による判断の後、指定受け付け部２８は、表示領域１８に常に表示させる項目２１ａ〜２１ｐの指定を受け付ける（Ｓ１３）。指定については、前回の操作で利用された項目２１ａ〜２１ｐを不揮発性メモリ１７に記憶しておき、その前後を含めた三つの項目２１ａ〜２１ｐをデフォルトとして指定することとする。なお、指定受け付け部２８は、判断部２７による判断の前に指定の受け付けが可能な構成としてもよい。すなわち、予め項目２１ａ〜２１ｐの指定を受け付ける構成としてもよい。
【００２２】
この場合、項目２１ａ、２１ｂ、２１ｃの三つについて常に表示される項目２１ａ〜２１ｃとして指定されれば、表示制御部２９は、その三つの項目２１ａ〜２１ｃを常に表示しながら、指定されていない他の項目２１ｄ〜２１ｐについて、項目２１ｄ〜２１ｐの並び方向にスクロールして、全ての項目２１ｄ〜２１ｐを一旦表示するよう制御する（Ｓ１４）。この場合、具体的には、表示制御部２９は、指定受け付け部２８により受け付けられた項目２１ａ〜２１ｃから最も近い項目２１ｄから図３中の矢印Ｄ１と逆の向きで示す下向きにスクロールして表示するよう制御する。
【００２３】
図５は、表示制御部２９により最初に表示される表示画面１６の一例を示す図である。図５において、指定された項目２１ａ〜２１ｃについては、ハッチングで示している。以下、図６および図７についても同様である。図５を参照して、まず、項目２１ａ〜２１ｃに最も近い項目２１ｄが表示領域１８に表示された状態から表示制御部２９による表示の制御がスタートする。
【００２４】
図６は、スクロールしている途中の表示画面１６の一例を示す図である。図６を参照して、表示領域１８を下向きにスクロールしている途中の段階においては、項目２１ｋ、項目２１ｍが表示されている。また、項目２１ａ、２１ｂ、２１ｃについては、そのまま常に表示されている。すなわち、項目２１ｃの下に位置する項目２１ｄ、２１ｅ等が徐々にスクロールされて非表示となり、代わりに項目２１ｋ、２１ｍが表示された状態となっている。
【００２５】
その後、スクロールは続けられ、指定された項目２１ａ〜２１ｃから最終的に最も遠い位置にある項目２１ｐが表示される。図７は、最も遠い項目２１ｐが表示された表示画面１６の一例を示す図である。図７を参照して、表示画面１６の最も下の位置に、項目２１ｐが表示されている。このようにして、表示制御部２９は、全ての項目２１ａ〜２１ｐを一旦表示するよう制御する。その後、再び図５に示す表示画面１６に表されるリスト２２の一部が表示された状態に戻る（Ｓ１５）。すなわち、表示制御部２９は、全ての項目２１ａ〜２１ｐを一旦表示した後、指定受け付け部２８により受け付けられた項目２１ａ〜２１ｃに最も近い項目２１ｄを表示するよう制御する。
【００２６】
このような表示装置１３によると、複数に分類された項目２１ａ〜２１ｐから構成されるリスト２２を表示画面１６の表示領域１８に表示する際に、項目２１ａ〜２１ｐの並び方向に全ての項目２１ａ〜２１ｐが表示できないと判断されれば、指定された項目２１ａ〜２１ｃを常に表示領域に表示しながら、他の項目２１ｄ〜２１ｐについてスクロールして表示することとし、全ての項目２１ａ〜２１ｐを一旦表示領域１８に表示するよう制御することとしている。そうすると、リスト２２を構成する項目２１ａ〜２１ｐの全てをユーザーが容易に把握することができる。また、指定された項目２１ａ〜２１ｐについては、常に視認することができる。したがって、ユーザーの利便性を向上することができる。
【００２７】
また、このような表示装置１３を含む携帯端末装置１１によると、ユーザーの利便性を向上することができる。
【００２８】
この場合、表示制御部２９は、全ての項目２１ａ〜２１ｐを一旦表示した後、指定受け付け部２８により指定を受け付けられた項目２１ａ〜２１ｃに最も近い項目２１ｄを表示するよう制御しているため、全ての項目２１ａ〜２１ｐの表示が終わった後、指定を受け付けた項目２１ａ〜２１ｃの近傍の項目２１ｄの表示を見やすくすることができる。
【００２９】
また、この場合、表示制御部２９は、指定受け付け部２８により受け付けられた項目２１ａ〜２１ｃから最も近い項目２１ｄからスクロールして表示するよう制御しているため、時間的に効率よく全ての項目２１ａ〜２１ｐを表示することができる。
【００３０】
なお、リスト２２の長さＬ１が表示領域１８の長さＬ２よりも短かった場合、Ｓ１２において、判断部２７が表示画面１６内に全ての項目２１ａ〜２１ｐが表示できると判断する（Ｓ１２において、ＹＥＳ）。その判断結果に応じて、表示制御部２９は、そのまま、すなわち、リスト２２を構成する項目２１ａ〜２１ｐ全てを表示領域１８に表示するよう制御する（Ｓ１６）。この場合、項目２１ａ〜２１ｐが全て表示領域１８に表示されるため、ユーザーは、全ての項目２１ａ〜２１ｐを容易に把握することができる。
【００３１】
また、上記の実施の形態においては、表示制御部２９は、指定受け付け部２８により受け付けられた項目２１ａ〜２１ｃから最も近い項目２１ｄからスクロールして表示するよう制御することとしたが、これに限らず、表示制御部２９は、指定受け付け部２８により受け付けられた項目２１ａ〜２１ｃから最も遠い項目２１ｐからスクロールして表示するよう制御してもよい。こうすることにより、たとえば、項目２１ａ〜２１ｐの内容に並び順の番号が割り振られたものがある場合には、その内容を見て最初に項目２１ａ〜２１ｐの全容、具体的には、項目２１ａ〜２１ｐの総数を把握することが容易となる。
【００３２】
なお、上記の実施の形態において、表示制御部２９は、指定受け付け部２８により受け付けられた項目の色を、指定されていない他の項目の色とを異ならせて表示するよう制御することにしてもよい。こうすることにより、指定された項目と指定されていない項目との相違を視覚的に容易に認識することができる。
【００３３】
また、表示制御部２９は、指定受け付け部２８により受け付けられた項目を、可視可能な範囲で縮小して表示するよう制御することとしてもよい。こうすることにより、スクロール表示する指定されていない他の項目を視覚的に大きく表示することができ、より認識しやすくすることができる。
【００３４】
なお、上記の実施の形態において、判断部２７による判断結果が出た後、指定受け付け部２８による指定の受け付けを、表示画面１６によって行うこととしてもよい。こうすることにより、よりユーザーの望む表示を行うことができる。
【００３５】
また、上記の実施の形態において、複数の箇所、たとえば、指定された項目２１ａ〜２１ｃの並び方向の前側のスクロールと後ろ側のスクロールとを同時に行うこととしてもよい。すなわち、表示制御部２９は、複数の領域に亘って、指定されていない他の項目２１ａ〜２１ｐを並び方向にスクロールして、全ての項目２１ａ〜２１ｐを一旦表示するよう制御することにしてもよい。こうすることにより、より効率的に全ての項目２１ａ〜２１ｐを表示することができる。この場合、たとえば、リスト２２のほぼ中央に位置する項目２１ｇ、２１ｈ、２１ｉが指定されていれば、項目２１ａ〜２１ｆについては、項目２１ｆから項目２１ａに向かってスクロールし、項目２１ｊ〜２１ｐについては、項目２１ｊから項目２１ｐに向かってスクロールするようにする。すなわち、それぞれ逆方向に指定された項目２１ｇ〜２１ｉから遠ざかる向きにスクロールしてもよい。また、逆にそれぞれ近づく向きにスクロールすることにしてもよい。こうすることにより、項目２１ａ〜２１ｐの全体を一旦表示する際の表示の効率化を図ることができる。また、指定受け付け部２８は、並び方向に連続しない複数の項目２１ａ〜２１ｐを指定可能である構成としてもよい。
【００３６】
なお、上記の実施の形態において、表示制御部２９は、指定されていない他の項目が並び方向に分かれて複数ある場合には、複数の指定されていない他の項目を同時にスクロールして表示するよう制御することにしてもよい。こうすることにより、時間の短縮を図りながら、効率的に指定されていない他の項目を視覚的に確認することができる。また、表示制御部２９は、指定されていない他の項目が並び方向に分かれて複数ある場合には、複数の指定されていない他の項目を順番にスクロールして表示するよう制御することにしてもよい。こうすることにより、より確実にユーザーに視覚的に全ての項目を把握させることができる。この場合、表示制御部２９は、指定されていない他の項目が並び方向に分かれて複数ある場合には、複数の指定されていない他の項目を上方から順番にスクロールして表示するよう制御することにしてもよい。こうすることにより、より視認性を高めることができる。
【００３７】
なお、上記の実施の形態においては、携帯端末装置１１の携帯端末装置制御部１２が判断部２７等を備えることとしたが、これに限らず、表示装置１３、具体的には、たとえば、表示装置１３に含まれる表示装置制御部（図示せず）が、第一の受け付け部２６、判断部２７、指定受け付け部２８、および表示制御部２９を備える構成としてもよい。
【００３８】
また、上記の実施の形態においては、表示装置１３が記憶部としての不揮発性メモリ１７を備える構成としたが、これに限らず、表示装置１３外に情報を記憶する記憶部が備えられている構成としてもよい。すなわち、表示装置１３外に設けられた外部記憶装置に記憶されている情報を表示する際に、表示装置１３による表示の制御を行う構成としてもよい。
【００３９】
なお、表示装置１３を操作するユーザーの認証を行うユーザー認証部をさらに備える構成とし、指定受け付け部２８は、ユーザー認証部によって認証されたユーザーの操作履歴に基づいて項目２１ａ〜２１ｐの指定を受け付ける構成としてもよい。ユーザーの操作履歴については、不揮発性メモリ１７に記憶させることができる。こうすることにより、各ユーザーに応じた適切な項目２１ａ〜２１ｐの指定をすることができる。
【００４０】
なお、この発明の他の実施形態に係る表示方法については、以下の構成としてもよい。すなわち、表示方法は、複数に分類された項目から構成されるリストの表示を制御する表示方法である。表示方法は、リストの表示の要求を受け付ける工程と、受け付ける工程によりリストの表示の要求を受け付ければ、複数に分類された項目を所定の並び方向で並べてリストを表示画面の表示利用域に表示する際に、並び方向において表示領域内に全ての項目が表示できるか否かを判断する工程と、判断する工程により全ての項目が表示できないと判断されれば、複数の項目のうち、表示領域に常に表示させる項目の指定を受け付ける工程と、複数に分類された項目を所定の並び方向で並べてリストを表示領域に表示する際に、指定を受け付ける工程において指定を受け付けられた項目を常に表示しながら、指定されていない他の項目を並び方向にスクロールして、全ての項目を一旦表示するよう制御する工程とを備える。このような表示方法によると、ユーザーの利便性を向上することができる。
【００４１】
また、この発明のさらに他の実施形態に係るプログラムは、以下の構成としてもよい。すなわち、プログラムは、コンピューターに、複数に分類された項目から構成されるリストの表示の要求を受け付ける受け付け機能、受け付け機能によりリストの表示の要求を受け付ければ、複数に分類された項目を所定の並び方向で並べてリストを表示画面の表示利用域に表示する際に、並び方向において表示領域内に全ての項目が表示できるか否かを判断する判断機能、判断機能により全ての項目が表示できないと判断されれば、複数の項目のうち、表示領域に常に表示させる項目の指定を受け付ける指定受け付け機能、および複数に分類された項目を所定の並び方向で並べてリストを表示領域に表示する際に、指定を受け付ける工程において指定を受け付けられた項目を常に表示しながら、指定されていない他の項目を並び方向にスクロールして、全ての項目を一旦表示するよう制御する表示制御機能を実現させるためのプログラムであってもよい。
【００４２】
なお、上記した実施の形態によれば、表示装置には、携帯端末装置や情報処理装置が含まれることとしたが、これに限らず、表示装置には、他の情報処理装置、たとえば、パーソナルコンピューターやスマートフォン等が含まれることとしてもよい。もちろん、上記した表示方法やプログラム等についても、これらのような情報処理装置に適用することができる。
【００４３】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４４】
この発明に係る表示装置、表示方法、およびプログラムは、ユーザーの利便性の向上が要求される場合に、特に有効に利用される。
【符号の説明】
【００４５】
１１  携帯端末装置、１２  携帯端末装置制御部、１３  表示装置、１４  テンキー、１５  機能選択キー、１６  表示画面、１７  不揮発性メモリ、１８  表示領域、２１ａ，２１ｂ，２１ｃ，２１ｄ，２１ｅ，２１ｆ，２１ｇ，２１ｈ，２１ｉ，２１ｊ，２１ｋ，２１ｍ，２１ｎ，２１ｐ  項目、２２  リスト、２６  第一の受け付け部、２７  判断部、２８  指定受け付け部、２９  表示制御部。
【図１】
2018120480.tif 000003
【図２】
2018120480.tif 000004
【図３】
2018120480.tif 000005
【図４】
2018120480.tif 000006
【図５】
2018120480.tif 000007
【図６】
2018120480.tif 000008
【図７】
2018120480.tif 000009